(57)【要約】【課題】携帯端末の正規の使用者以外の者の操作によって、サーバ側に保存していたアドレス帳が消去される可能性があるという課題がある。【解決手段】携帯通信端末からの要求に応じてデータを格納するデータ格納部と、データ格納部に格納されたデータを修正するデータ更新部と、データ格納部に格納されているデータと携帯通信端末に保存されているデータとの整合の許否を保守通信端末から受け付けて記憶する整合許否記憶部と、当該携帯通信端末から整合要求を受信した場合に、整合許否記憶部に整合を許す旨の情報が記憶されているときは、データ格納部に格納されているデータと携帯通信端末に保存されているデータとを整合させる一方、整合許否記憶部に整合を許さない旨の情報が記憶されているときは、データ格納部に格納されているデータと携帯通信端末に保存されているデータとを整合させないデータ整合部とを備える。【選択図】図３
2008187479.tif 000002
【特許請求の範囲】
【請求項１】
携帯通信端末に保存され使用されるデータを格納するデータ管理サーバであって、
前記携帯通信端末からの要求に応じて前記データを格納するデータ格納部と、
前記データを保守する保守通信端末からの要求に応じて前記データ格納部に格納された前記データを追加、変更または削除するデータ更新部と、
前記データ格納部に格納されている前記データと前記携帯通信端末に保存されている前記データとの整合の許否を前記保守通信端末から受け付けて記憶する整合許否記憶部と、
当該携帯通信端末から前記整合を要求する整合要求を受信した場合に、前記整合許否記憶部に前記整合を許す旨の情報が記憶されているときは、前記データ格納部に格納されている前記データと前記携帯通信端末に保存されている前記データとを整合させる一方、前記整合許否記憶部に前記整合を許さない旨の情報が記憶されているときは、前記データ格納部に格納されている前記データと前記携帯通信端末に保存されている前記データとを整合させないデータ整合部と
を備えるデータ管理サーバ。
【請求項２】
前記データ整合部は、当該携帯通信端末から前記整合要求を受信した場合に、前記整合許否記憶部に前記整合を許さない旨の情報が記憶されているときは、前記整合要求を受信した旨を前記保守通信端末に通知する請求項１のデータ管理サーバ。
【請求項３】
前記データは、アドレス帳に記憶された連絡先データである請求項１または２に記載のデータ管理サーバ。
【請求項４】
携帯通信端末に保存され使用されるデータを、当該携帯通信端末と異なる装置で管理するデータ管理方法であって、
前記携帯通信端末からの要求に応じて前記データを格納するデータ格納手順と、
前記データを保守する保守通信端末からの要求に応じて前記データ格納部に格納された前記データを追加、変更または削除するデータ更新手順と、
前記データ格納手順により格納されている前記データと前記携帯通信端末に保存されている前記データとの整合の許否を前記保守通信端末から受け付けて記憶する整合許否記憶手順と、
当該携帯通信端末から前記整合を要求する整合要求を受信した場合に、前記整合許否記憶手順により前記整合を許す旨の情報が記憶されているときは、前記データ格納手順により格納されている前記データと前記携帯通信端末に保存されている前記データとを整合させる一方、前記整合許否記憶手順により前記整合を許さない旨の情報が記憶されているときは、前記データ格納手順により格納されている前記データと前記携帯通信端末に保存されている前記データとを整合させないデータ整合手順と
を備えるデータ管理方法。
【請求項５】
携帯通信端末に保存され使用されるデータを格納するデータ管理サーバを制御するプログラムであって、前記データ管理サーバに、
前記携帯通信端末からの要求に応じて前記データを格納するデータ格納手順、
前記データを保守する保守通信端末からの要求に応じて前記データ格納部に格納された前記データを追加、変更または削除するデータ更新手順、
前記データ格納手順により格納されている前記データと前記携帯通信端末に保存されている前記データとの整合の許否を前記保守通信端末から受け付けて記憶する整合許否記憶手順、および、
当該携帯通信端末から前記整合を要求する整合要求を受信した場合に、前記整合許否記憶手順により前記整合を許す旨の情報が記憶されているときは、前記データ格納手順により格納されている前記データと前記携帯通信端末に保存されている前記データとを整合させる一方、前記整合許否記憶手順により前記整合を許さない旨の情報が記憶されているときは、前記データ格納手順により格納されている前記データと前記携帯通信端末に保存されている前記データとを整合させないデータ整合手順
を実行させるプログラム。
【発明の詳細な説明】
【技術分野】
【０００１】
本発明は、データ管理サーバ、データ管理方法およびプログラムに関する。本発明は、携帯通信端末に保存され使用されるデータを管理するデータ管理サーバ、データ管理方法およびプログラムに関する。
【背景技術】
【０００２】
無線通信により一部の機能をロックする携帯端末が知られている（例えば、特許文献１参照。）。また、携帯端末の操作によって携帯端末のアドレス帳を保存するサーバが知られている（例えば、特許文献２参照。）。
【特許文献１】特開２００６−２６１９９０号公報
【特許文献２】特開２００６−２０３５１２号公報
【発明の開示】
【発明が解決しようとする課題】
【０００３】
しかしながら、携帯端末の電源が入っていない場合、携帯端末が圏外にある場合には、アドレス帳を管理する機能をロックすることができない。よって、携帯端末の正規の使用者以外の者の操作によって、サーバ側に保存していたアドレス帳が消去される可能性があるという課題がある。
【課題を解決するための手段】
【０００４】
上記課題を解決するために、本発明の一の形態においては、携帯通信端末に保存され使用されるデータを格納するデータ管理サーバであって、携帯通信端末からの要求に応じてデータを格納するデータ格納部と、データを保守する保守通信端末からの要求に応じてデータ格納部に格納されたデータを追加、変更または削除するデータ更新部と、データ格納部に格納されているデータと携帯通信端末に保存されているデータとの整合の許否を保守通信端末から受け付けて記憶する整合許否記憶部と、当該携帯通信端末から整合を要求する整合要求を受信した場合に、整合許否記憶部に整合を許す旨の情報が記憶されているときは、データ格納部に格納されているデータと携帯通信端末に保存されているデータとを整合させる一方、整合許否記憶部に整合を許さない旨の情報が記憶されているときは、データ格納部に格納されているデータと携帯通信端末に保存されているデータとを整合させないデータ整合部とを備える。これにより、サーバにバックアップとして保存していたデータの消去を防止することができる。例えば、紛失または盗難された携帯通信端末内のデータが拾得者または盗難者により消去された場合であっても、消去後の内容をサーバに反映させる整合要求をサーバ側で拒否するので、サーバに保存していたデータの消去を防止することができる。さらに、携帯通信端末の通信機能は制限されないので、拾得者または盗難者への連絡手段を維持、確保することができる。
【０００５】
なお、上記の発明の概要は、本発明の必要な特徴の全てを列挙したものではなく、これらの特徴群のサブコンビネーションもまた、発明となりうる。
【発明を実施するための最良の形態】
【０００６】
以下、発明の実施の形態を通じて本発明を説明するが、以下の実施形態は特許請求の範囲にかかる発明を限定するものではなく、また実施形態の中で説明されている特徴の組み合わせの全てが発明の解決手段に必須であるとは限らない。
【実施例１】
【０００７】
図１は、データ管理システム１０の一例を模式的に示す。データ管理システム１０は、携帯通信端末２０とデータ管理サーバ３０を備える。携帯通信端末２０は、ディスプレイ２２および操作パネル２４を備える。携帯通信端末２０は、個人、店舗、サービスの提供者などの通信相手に関するすデータ（以下、「連絡先データ」という。）を登録すべき旨のユーザからの入力を、ディスプレイ２２および操作パネル２４を介して受け付けてアドレス帳に記憶する。連絡先データは、通信相手の名前、電話番号、メールアドレスなどを含む。携帯通信端末２０は、無線アクセスネットワークおよびコアネットワークを介して、他の携帯通信端末７００と通信し、さらに公衆回線網を介して固定電話機７１０と通信する。携帯通信端末２０は、アドレス帳に登録された連絡先データを利用して、他の携帯通信端末７００等と通信してもよい。なお、携帯通信端末２０は、他の携帯通信端末７００等に加え、非図示のＷｅｂサーバ等と通信してもよい。
【０００８】
データ管理サーバ３０は、インターネット上に存在し、携帯通信端末２０から無線アクセスネットワーク、コアネットワークを介してアクセスされる。データ管理サーバ３０は、携帯通信端末２０からの要求に応じて、携帯通信端末２０のアドレス帳に記録された連絡先データを格納する。
【０００９】
パーソナルコンピュータ４０は、保守通信端末の一例であって、データ管理サーバ３０にアクセスして、データ管理サーバ３０に格納された連絡先データを追加、変更または削除（以下、追加、変更または削除を「修正」という。）する。例えば、パーソナルコンピュータ４０は、データ管理サーバ３０に格納された連絡先データの修正の要求を受け付ける修正画面を表示し、修正画面を介して受け付けた修正の要求に応じて、データ管理サーバ３０に格納された連絡先データを保守する。なお、データ管理サーバ３０は、サービスノードとしてコアネットワーク上に存在してもよい。この場合、パーソナルコンピュータ４０はゲートウェイを介してデータ管理サーバ３０にアクセスする。
【００１０】
図２は、携帯通信端末２０のブロック図の一例を示す。図３は、データ管理サーバ３０のブロック図の一例を示す。携帯通信端末２０は、図２に示すように、端末データ格納部２００、端末データ整合部２１０、端末データ更新部２２０および通信部２５０を備える。データ管理サーバ３０は、図３に示すように、サーバデータ格納部３００、サーバデータ整合部３１０、サーバデータ更新部３２０および整合許否記憶部３４０を備える。
【００１１】
端末データ格納部２００は、アドレス帳として連絡先データを格納する。通信部２５０は、連絡先データを受け付ける。具体的には、通信部２５０は、端末データ格納部２００に格納された一又は複数の連絡先データをディスプレイ２２に表示し、表示された連絡先データのうち操作パネル２４により指定された一の連絡先データを受け付ける。また、通信部２５０は、端末データ格納部２００に格納された連絡先データにかえて、操作パネル２４により入力された連絡先データを受け付けてもよい。通信部２５０は、受け付けた連絡先データにより特定される端末等と通信する。
【００１２】
端末データ更新部２２０は、ディスプレイ２２および操作パネル２４を介してユーザから受け付けた要求に応じて、端末データ格納部２００に格納された連絡先データを修正する。例えば、端末データ更新部２２０は、端末データ格納部２００に格納された連絡先データの修正の要求を受け付ける修正画面をディスプレイ２２に表示し、修正画面を介して受け付けた修正の要求に応じて、端末データ格納部２００に格納された連絡先データを修正する。また、端末データ更新部２２０は、端末データ格納部２００に格納された連絡先データを、上記要求に応じて修正した履歴である端末履歴情報を生成する。端末データ更新部２２０は、生成した端末履歴情報を端末データ格納部２００に格納する。なお、端末履歴情報は、修正したデータを特定する情報および修正したデータ毎の修正日時を含む。
【００１３】
端末データ整合部２１０は、ディスプレイ２２および操作パネル２４を介して、端末データ格納部２００に格納された連絡先データとサーバデータ格納部３００に格納された連絡先データとを整合すべき旨の入力を受け付ける。端末データ整合部２１０は、操作パネル２４等を介して整合すべき旨の入力を受け付けた場合には、端末データ格納部２００に格納されている連絡先データとサーバデータ格納部３００に格納されている連絡先データとを整合させる。例えば、端末データ整合部２１０は、端末データ格納部２００に格納された連絡先データとサーバデータ格納部３００に格納された連絡先データとの整合を要求する整合要求をサーバデータ整合部３１０に送信することにより、後述のように、データ管理サーバ３０に、サーバデータ格納部３００に格納された連絡先データと端末データ格納部２００に格納された連絡先データとを整合させる。
【００１４】
端末データ整合部２１０は、整合すべき旨の都度の入力に加え、都度の入力なしに所定の時間に整合させる設定（以下、「タイマ設定」という。）の入力を受け付ける。端末データ整合部２１０は、タイマ設定の日時になった場合、都度の入力を受け付けた場合と同様に、整合要求を送信する。
【００１５】
また、端末データ整合部２１０は、端末データ格納部２００に格納された端末履歴情報を送信すべき旨の要求をサーバデータ整合部３１０から受信した場合には、サーバデータ整合部３１０に端末履歴情報を送信する。また、端末データ整合部２１０は、サーバデータ整合部３１０から連絡先データを受信したときは、端末データ格納部２００に反映させる。
【００１６】
サーバデータ格納部３００は、携帯通信端末２０の端末データ格納部２００に格納された連絡先データを格納する。
【００１７】
サーバデータ更新部３２０は、パーソナルコンピュータ４０からの要求に応じて、サーバデータ格納部３００に格納された連絡先データを修正する。例えば、サーバデータ更新部３２０は、パーソナルコンピュータ４０からの要求に基づいてサーバデータ格納部３００に格納された連絡先データの修正の要求を受け付ける修正画面をパーソナルコンピュータ４０に表示し、修正画面を介してパーソナルコンピュータ４０から受け付けた修正の要求に応じて、サーバデータ格納部３００に格納された連絡先データを修正する。
【００１８】
また、サーバデータ更新部３２０は、サーバデータ格納部３００に格納された連絡先データを、上記要求に応じて修正した履歴であるサーバ履歴情報を生成する。サーバデータ更新部３２０は、生成したサーバ履歴情報をサーバデータ格納部３００に格納する。なお、サーバ履歴情報は、例えば、修正したデータを特定する情報および修正したデータ毎の修正日時を含む。
【００１９】
サーバデータ整合部３１０は、パーソナルコンピュータ４０からサーバデータ格納部３００に格納された連絡先データと端末データ格納部２００に格納された連絡先データとを整合すべき旨の入力を受け付ける。サーバデータ整合部３１０は、パーソナルコンピュータ４０から整合すべき旨の入力を受け付けた場合には、サーバデータ格納部３００に格納されている連絡先データと端末データ格納部２００に格納されている連絡先データとを整合させる。例えば、まずサーバデータ整合部３１０は、端末データ整合部２１０に端末データ格納部２００に格納された端末履歴情報の送信を要求し、端末データ整合部２１０から受信した端末履歴情報とサーバデータ格納部３００に格納されたサーバ履歴情報に基づいて、サーバデータ格納部３００に格納された連絡先データであって前回の整合時から今回の整合時までの間にサーバデータ更新部３２０により修正された連絡先データを端末データ整合部２１０に送信するとともに、端末データ格納部２００に格納された連絡先データであって前回の整合時から今回の整合時までの間に端末データ更新部２２０により修正された連絡先データを端末データ整合部２１０から受信する。サーバデータ整合部３１０は、端末データ整合部２１０から受信した連絡先データをサーバデータ格納部３００に反映させるとともに、サーバデータ整合部３１０から送信した連絡先データを端末データ整合部２１０により端末データ格納部２００に反映させる。なお、前回の整合時から今回の整合時までの間に、端末データ格納部２００およびサーバデータ格納部３００に格納された一の同一の連絡先データが、端末データ更新部２２０またはサーバデータ更新部３２０によりそれぞれ異なる連絡先データとなっている場合は、端末履歴情報およびサーバ履歴情報の修正日時を参照して最新の連絡先データに整合される。
【００２０】
整合許否記憶部３４０は、サーバデータ格納部３００に格納されている連絡先データと端末データ格納部２００に格納されている連絡先データとの整合の許否を示す情報をパーソナルコンピュータ４０から受け付ける。例えば、整合許否記憶部３４０は、パーソナルコンピュータ４０からの要求に基づいて整合の許否を示す情報の入力を受け付ける拒否受付画面をパーソナルコンピュータ４０に表示し、許否受付画面を介して整合の許否を示す情報を受け付ける。整合許否記憶部３４０は、整合の許否を示す情報を受け付けた場合には、受け付けた整合の拒否を示す情報を記憶する。
【００２１】
また、サーバデータ整合部３１０は、端末データ整合部２１０から整合要求を受信した場合、整合許否記憶部３４０に整合を許さない旨の情報が記憶されているか否かを判断する。サーバデータ整合部３１０は、整合要求を受信した場合に、整合許否記憶部３４０に整合を許す旨の情報が記憶されていると判断したときは、または整合を許さない旨の情報が記憶されていないと判断したときは、サーバデータ格納部３００に格納されている連絡先データと端末データ格納部２００に格納されている連絡先データとを整合させる。一方、サーバデータ整合部３１０は、整合要求を受信した場合に、整合許否記憶部３４０に整合を許す旨の情報が記憶されていないと判断したときは、または整合を許さない旨の情報が記憶されていると判断したときは、サーバデータ格納部３００に格納されている連絡先データと端末データ格納部２００に格納されている連絡先データとを整合させることなく、携帯通信端末２０から整合要求を受信した旨をパーソナルコンピュータ４０に通知する。例えば、サーバデータ整合部３１０は、電子メールにより整合要求を受信した旨をパーソナルコンピュータ４０に通知する。これにより、データ管理サーバ３０内の連絡先データの消去を防止することができる。例えば、紛失または盗難された携帯通信端末２０内の連絡先データが拾得者または盗難者により消去された場合であっても、消去後の内容をデータ管理サーバ３０に反映させる整合要求をデータ管理サーバ３０が拒否するので、データ管理サーバ３０内の連絡先データの消去を防止することができる。さらに、携帯通信端末２０の通信機能は制限されないので、拾得者または盗難者への連絡手段を維持、確保することができる。また、拾得者または盗難者から整合要求があった旨が通知されるので、拾得者または盗難者と連絡するなどの何らかの対策をとることができる。
【００２２】
記憶媒体７０は、サーバデータ格納部３００、サーバデータ整合部３１０、サーバデータ更新部３２０および整合許否記憶部３４０の動作を行わせるプログラムを記憶する。データ管理サーバ３０は、記憶媒体７０に記憶された上記プログラムをインストールすることにより、サーバデータ整合部３１０等の動作を行わせてもよい。さらに、他の方法として、データ管理サーバ３０は、そのようなプログラムを、ネットワークを介して取得してもよい。
【００２３】
図４は、データ管理サーバ３０等の動作の一例を示すフローチャートである。図４の左側のフローチャートは携帯通信端末２０の動作を、中央のフローチャートはデータ管理サーバ３０の動作を、右側のフローチャートはパーソナルコンピュータ４０の動作を示す。図４に示すフローチャートは、端末データ整合部２１０が、端末データ格納部２００に格納された連絡先データとサーバデータ格納部３００に格納されている連絡先データとを整合すべき旨の入力を受け付けることにより開始する（Ｓ２００）。
【００２４】
整合すべき旨の入力を受け付けた端末データ整合部２１０は、整合要求をデータ管理サーバ３０のサーバデータ整合部３１０に送信する（Ｓ２２０）。
【００２５】
端末データ整合部２１０から整合要求を受信したサーバデータ整合部３１０は、整合許否記憶部３４０に整合を許さない旨の情報が記憶されているか否かを判断する（Ｓ３１０）。
【００２６】
ステップＳ３１０においてサーバデータ整合部３１０は、整合許否記憶部３４０に整合を許さない旨の情報が記憶されていないと判断した場合（Ｓ３１０：Ｎｏ）、サーバデータ格納部３００に格納されている連絡先データと端末データ格納部２００に格納されている連絡先データとを整合させる（Ｓ２４０、Ｓ３４０）。そして本フローチャートは終了する。
【００２７】
一方、ステップＳ３１０においてサーバデータ整合部３１０は、整合許否記憶部３４０に整合を許さない旨の情報が記憶されていると判断した場合（Ｓ３１０：Ｙｅｓ）、サーバデータ格納部３００に格納されている連絡先データと端末データ格納部２００に格納されている連絡先データとを整合させることなく、携帯通信端末２０から整合要求を受信した旨をパーソナルコンピュータ４０に通知する（Ｓ３５０）。そして本フローチャートは終了する。
【００２８】
以上、本実施例によれば、データ管理サーバ３０内の連絡先データの消去を防止するとともに、拾得者または盗難者への連絡手段を維持、確保することができる。
【００２９】
さらに、データ管理サーバ３０は、サーバデータ格納部３００、サーバデータ整合部３１０、サーバデータ更新部３２０および整合許否記憶部３４０に加えて、非図示のデータ収集部を備えてもよい。データ収集部は、サーバデータ整合部３１０が整合要求を受信して整合許否記憶部３４０に整合を許す旨の情報が記憶されていないと判断したとき、または整合を許さない旨の情報が記憶されていると判断したときに、端末データ格納部２００に格納された連絡先データであってサーバデータ格納部３００に格納されていない連絡先データを端末データ整合部２１０に要求して取得する。データ収集部は、端末データ整合部２１０から取得した連絡先データをサーバデータ格納部３００に反映させる。換言すれば、サーバデータ整合部３１０は、携帯通信端末２０から整合を要求する整合要求を受信した場合に、整合許否記憶部３４０に整合を許す旨の情報が記憶されているときは、サーバデータ格納部３００に格納されている連絡先データと端末データ格納部２００に格納されている連絡データとを整合させる一方、整合許否記憶部３４０に整合を許さない旨の情報が記憶されているときは、端末データ格納部２００に格納された連絡先データであってサーバデータ格納部３００に格納されていない連絡先データを収集すべき旨をデータ収集部に通知する。これにより、携帯通信端末２０の拾得者または盗難者が携帯通信端末２０内の連絡先データを消去していない場合に、携帯通信端末２０の拾得者または盗難者から整合要求があったときは、前回の整合時から紛失または盗難されるまでの間に携帯通信端末２０の正規の使用者により修正された連絡先データをデータ管理サーバ３０に保存することができる。
【００３０】
なお、本実施例において、携帯通信端末２０で格納され使用されるデータとして連絡先データを用いて説明したが、携帯通信端末２０で格納され使用されるデータは、他のテキスト、画像などであってもよい。
【００３１】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【図面の簡単な説明】
【００３２】
【図１】データ管理システム１０の一例を模式的に示す。
【図２】携帯通信端末２０のブロック図の一例を示す。
【図３】データ管理サーバ３０のブロック図の一例を示す。
【図４】データ管理サーバ３０等の動作の一例を示すフローチャートである。
【符号の説明】
【００３３】
１０  データ管理システム
２０  携帯通信端末
２２  ディスプレイ
２４  操作パネル
３０  データ管理サーバ
４０  パーソナルコンピュータ
５０  携帯通信端末
６０  データ管理サーバ
２００  端末データ格納部
２１０  端末データ整合部
２２０  端末データ更新部
２５０  通信部
３００  サーバデータ格納部
３１０  サーバデータ整合部
３２０  サーバデータ更新部
３４０  整合許否記憶部
７００  携帯通信端末
７１０  固定電話機
【図１】
2008187479.tif 000003
【図２】
2008187479.tif 000004
【図３】
2008187479.tif 000005
【図４】
2008187479.tif 000006